(57)【要約】【課題】  コンクリート輸送管等に生じた振動をスラブ型枠やスラブ鉄筋、平面板に対して有効に遮断することができる輸送管等の支持装置を提供する。【解決手段】  スラブ鉄筋Ｃ等の上を平面的に移動可能な滑動部材１１ａを皿船１２に形成し、この皿船１２の上部に支持部材１３ａを設け、この支持部材１３ａにコンクリート輸送管Ａをローラで支持する回転支持部材１５が設けてある。【選択図】図１
2009144496.tif 000002
【特許請求の範囲】
【請求項１】
スラブ鉄筋等の上を平面的に移動可能な滑動部材の上部に、コンクリート輸送管等の支持部材を設けた輸送管等の支持装置。
【請求項２】
上記滑動部材が、フラットな底板の周囲に上面側への周壁を設けた皿船に形成されている請求項１に記載の輸送管等の支持装置。
【請求項３】
上記滑動部材が、両側に平行配置となるソリを横棧で結合して形成されている請求項１に記載の輸送管等の支持装置。
【請求項４】
上記滑動部材が、パイプ製環状体の内部に横棧を架設して形成されている請求項１に記載の輸送管等の支持装置。
【請求項５】
上記支持部材が、滑動部材上の両側に立設した支持体間に軸を架設し、この軸に輸送管等を支持する筒状のローラを、輸送管等の長さ方向への移動を許容する方向の回転可能に取付けて形成されている請求項１乃至４の何れかに記載の輸送管等の支持装置。
【請求項６】
上記支持部材が、滑動部材上の両側に立設した支持体間に軸を架設し、この軸に輸送管等を支持する鼓形のローラを、輸送管等の長さ方向への移動を許容する方向の回転可能に取付けて形成されている請求項１乃至４の何れかに記載の輸送管等の支持装置。
【発明の詳細な説明】
【技術分野】
【０００１】  この発明は、コンクリート輸送管や各種配管、配電コード等を支持する輸送管等の支持装置に関する。
【背景技術】
【０００２】  例えば、コンクリート構造物の構築において、高所や広い範囲へのコンクリートの打設方法は、一般に、コンクリートポンプに接続したコンクリート輸送管をスラブ型枠の上に配置し、この輸送管内を圧送されてきたコンクリートを輸送管の先端から吐出させ、輸送管の先端を移動させることにより、壁やスラブにコンクリートを打設するようにしている。【０００３】  ところで、スラブ型枠上にコンクリート輸送管を配管する場合、スラブ型枠上にはスラブ鉄筋が配筋されているが、このスラブ鉄筋上にコンクリート輸送管を直接載せて配管すると、コンクリート輸送管に発生する振動等でスラブ鉄筋が破損することになる。【０００４】  即ち、コンクリートポンプで圧送されるコンクリートには脈動があり、このため、コンクリート輸送管には長さ方向に対する振動が発生すると共に、コンクリート輸送管の曲がり部分に衝突するコンクリートの圧力で、コンクリート輸送管に振れや蛇行の動きが発生し、このような振動や振れ、蛇行がスラブ鉄筋に加わると、スラブ鉄筋に配筋の乱れ等の破損がすることになる。【０００５】  このようなスラブ鉄筋の破損を防止するため、スラブ型枠上にコンクリート輸送管の支持架台を配置し、コンクリート輸送管が直接スラブ鉄筋に接触しないようにすることが行われている。【０００６】  従来の支持架台１は、図４（ａ）と（ｂ）に示すように、パイプを略逆Ｕ字状に折り曲げた一対の脚体２、２を横棧３で結合し、両脚体２、２の上端間にコンクリート輸送管Ａを支持する受け板４を鎖体５で吊り下げて形成され、揺動自在となる鎖体５でコンクリート輸送管Ａを支持することにより、コンクリート輸送管Ａの振動や振れを吸収しようとするものである。【０００７】  しかし、鎖体５でコンクリート輸送管Ａを支持すると、コンクリート輸送管Ａの振動や振れと共に鎖体５が揺動することで、支持架台１の全体に対して鎖体５の揺動方向への動きが発生し、コンクリート輸送管Ａを支持した支持架台１が移動することになる。
【発明の開示】
【発明が解決しようとする課題】
【０００８】  ところで、従来の支持架台１は、両脚体２、２の下端をスラブ型枠Ｂ上に直接載置するようになっているため、実際の使用ではスラブ鉄筋Ｃの網目状空間を脚体２、２の下部が貫通する配置になり、コンクリート輸送管Ａを支持した支持架台１に移動が発生すると、その脚体２、２がスラブ鉄筋Ｃに衝突することになり、この衝突によってスラブ鉄筋Ｃに破損を生じさせるという問題がある【０００９】  また、コンクリート輸送管Ａを支持する鎖体５は、揺動範囲に制限があると共に、振動や振れが生じたコンクリート輸送管Ａに上下動が加えわることになり、コンクリート輸送管Ａの支持が不安定になるという問題がある。【００１０】  そこで、この発明の課題は、コンクリート輸送管等を支持した状態でスラブ鉄筋や平面板の上を移動可能とし、コンクリート輸送管等に生じた振動をスラブ型枠やスラブ鉄筋、平面板に対して有効に遮断することができ、しかも、コンクリート輸送管を安定よく支持することができる輸送管等の支持装置を提供することにある。
【課題を解決するための手段】
【００１１】  上記のような課題を解決するため、請求項１の発明は、スラブ鉄筋等の上を平面的に移動可能な滑動部材の上部に、コンクリート輸送管等の支持部材を設けた構成を採用したものである。【００１２】  請求項２の発明は、請求項１の発明において、上記滑動部材が、フラットな底板の周囲に上面側への周壁を設けた皿船に形成されている構成を採用したものである。【００１３】  上記皿船は、平面的に十分な大きさを有する金属板や合成樹脂板を用い、角形や円形、楕円形になる底板の上面側の周囲に斜め外向きの周壁を設けて形成されている。【００１４】  請求項３の発明は、請求項１の発明において、上記滑動部材が、両側に平行配置となるソリを横棧で結合して形成されている構成を採用したものである。【００１５】  請求項４の発明は、請求項１の発明において、上記滑動部材が、パイプ製環状体の内部に横棧を架設して形成されている構成を採用したものである。【００１６】  請求項５の発明は、請求項１乃至４の何れかに記載の発明において、上記支持部材が、滑動部材上の両側に立設した支持体間に軸を架設し、この軸にコンクリート輸送管等を支持する筒状のローラを、コンクリート輸送管等の長さ方向への移動を許容する方向の回転可能に取付けて形成されている構成を採用したものである。【００１７】  請求項６の発明は、請求項１乃至４の何れかに記載の発明において、上記支持部材が、滑動部材上の両側に立設した支持体間に軸を架設し、この軸にコンクリート輸送管等を支持する鼓形のローラを、コンクリート輸送管等の長さ方向への移動を許容する方向の回転可能に取付けて形成されている構成を採用したものである。
【発明の効果】
【００１８】  この発明によると、スラブ鉄筋等の上を平面的に移動可能な滑動部材の上部に、コンクリート輸送管等の支持部材を設けたので、支持装置全体がスラブ鉄筋等の上において全方向への滑動が自在となり、支持したコンクリート輸送管等の振動や振れが支持装置に加わっても、支持装置の滑動によりスラブ鉄筋等への振動や振れの伝達を有効に遮断することができ、コンクリート輸送管を用いたコンクリートの圧送が、スラブ鉄筋に損傷を与えることなく行えるようになる。【００１９】  また、支持部材は、回転可能となるローラや鼓形のローラでコンクリート輸送管等をその長さ方向への移動を許容する状態で支持するので、ローラでコンクリート輸送管等に発生する長さ方向の振動を有効に逃がすことができ、支持装置全体の滑動を最小限に抑えることができる可能になり、しかも、コンクリート輸送管等に上下の動きを与えることがないので、コンクリート輸送管等を安定よく支持することができる。【００２０】  更に、滑動部材の上部に設けた支持部材でコンクリート輸送管等を支持するので、型枠や平板、床面等の上面において長尺物を支持でき、広範な使用が可能になる。
【発明を実施するための最良の形態】
【００２１】  以下、この発明の実施の形態を添付図面に基づいて説明する。【００２２】  図１（ａ）と（ｂ）に示す第１の実施の形態の支持装置１１は、スラブ鉄筋Ｃの上を平面的に移動可能な滑動部材１１ａに皿船１２を採用し、この皿船１２の上部に、コンクリート輸送管Ａの支持部材１３ａを設けた構造になっている。【００２３】  上記皿船１２は、スラブ鉄筋Ｃの網目に対して平面的に十分な大きさを有するステンレス、鋼板等の金属板や合成樹脂板のような、強度と滑り性を有する材料を用い、角形で下面がフラットになる底板１２ａの周囲に、周壁１２ｂを上方へ外広がりの傾斜状に折り曲げて形成され、スラブ鉄筋Ｃの上に載置した状態で、スラブ鉄筋Ｃ上をこのスラブ鉄筋Ｃに損傷を与えることなく、円滑に移動することができるようになっている。【００２４】  上記皿船１２の平面的な形状は、図示の正方形以外に、長方形や円形、楕円形、多角形等の形状を採用することができ、また、平面的な大きさは、スラブ鉄筋Ｃの網目の大きさや支持する被支持物の径に応じて設定すればよく、角形の場合、例えば、５００ｍｍ角程度の大きさに形成されている。【００２５】  この皿船１２の底板１２ａには、中央部の位置に野積した場合の雨水の排水孔１２ｃを形成し、周壁１２ｂの一部に提げ手１６が設けてある。【００２６】  上記支持部材１３ａは、皿船１２の上面で両側の位置に一対の支持体１３を設け、この支持体１３間の前後で同じ高さの位置に二本の軸１４、１４を平行に架設し、それぞれの軸１４、１４に回転支持部材１５、１５を外嵌した構造になっている。【００２７】  上記一対の支持体１３は、パイプを用いて下向きコ字状に折り曲げた枠材をその対向面間にコンクリート輸送管Ａが収まる間隔を設けて立設することにより形成され、両枠材間の上下中間部で前後の位置に水平の軸１４、１４が平行に架設されている。【００２８】  この支持体１３は図示の構造以外に、単独の柱を合計四本立設することにより形成したり、板状の壁を対向状に立設し、二本の軸を架設することができるように形成してもよい。【００２９】  上記回転支持部材１５、１５は、軸１４、１４に対して回転可能に外嵌するストレートの筒状ローラ（パイプ）を用い、支持したコンクリート輸送管Ａの長さ方向への移動を許容するようになっている。【００３０】  この筒状ローラは軸受を介して軸１４、１４に取付け、回転性能をよくするようにしたり、筒状ローラに代えて短尺のローラや軸受けを複数並べた構造とすることができる。【００３１】  図２（ａ）と（ｂ）は、支持装置１１の第２の実施の形態を示している。なお、第１の実施の形態と同一部分には同一符号を用いて説明する。【００３２】  この第２の実施の形態の支持装置１１は、滑動部材１１ａがソリ構造になっており、長いパイプを用いてその両端を上向に屈曲させ、両側に平行配置となるソリ１７をパイプ製の横棧や補強桟１８で結合して形成され、この滑動部材１１ａの上に、第１の実施の形態と略同様の支持部材１３ａが設けられている。【００３３】  第２の実施の形態の支持部材１３ａは、下向きＵ字状に形成した一対の支持体１３を横棧や補強桟１８上に固定し、両支持体１３間に一本の軸１４を軸受での支持によって���設し、この軸１４に回転支持部材１５として金属、ゴムや同効の鼓形ローラを回転可能に取付けた構造になっている。【００３４】  また、図３（ａ）と（ｂ）に示す第３の実施の形態は、滑動部材１１ａが輪かんじきのような構造になっており、パイプを用いた環状体１９の内部に横棧や補強桟２０を架設して形成され、この滑動部材１１ａの横棧や補強桟２０の上に、第２の実施の形態と同様の支持部材１３ａが設けられている。【００３５】  上記第２と第３の実施の形態において、滑動部材１１ａの平面的な長さや大きさは、スラブ鉄筋Ｃ上を滑動することができるよう網目の大きさや支持する被支持物の径に応じて設定すればよく、滑動部材１１ａをパイプの使用によるソリ構造や輪かんじきの構造に形成すると、コンクリートの付着発生が少なく、使用済み後のケレン作業を不要にできると共に、パイプを直接手で握れるので提げ手等を設けなくても移動や持ち運びが容易に行え、しかも、上下に積み重ねたときに嵩低くなるような形態にすることができるという利点がある。【００３６】  この発明の支持装置は上記のような構成であり、例えば、コンクリート構造物の構築時において、高所や広い範囲へのコンクリートの打設を行うためのコンクリート輸送管Ａをスラブ型枠Ｂの上に配管する場合に使用する。【００３７】  図１のように、支持装置１１の滑動部材１１ａをスラブ鉄筋Ｃの上に設置し、この支持装置１１の回転支持部材１５の上にコンクリート輸送管Ａの途中を載せることによって支持する。【００３８】  このようにして、コンクリート輸送管Ａの複数箇所を支持装置１１で支持することにより、コンクリート輸送管Ａのスラブ型枠Ｂ上に対する配管を行い、コンクリート輸送管Ａは回転可能となる回転支持部材１５でその長さ方向に移動可能となるよう支持される。【００３９】  このような支持状態において、コンクリート輸送管Ａによるコンクリートの圧送によって、このコンクリート輸送管Ａに振動や振れが発生すると、コンクリート輸送管Ａは回転支持部材１５の回転により長さ方向に移動することや、支持体１３間での回転支持部材１５上での横移動により、振動や振れが一次的に吸収されることになる。【００４０】  また、支持装置１１には、上記のような振動や振れを吸収することによって同方向への移動が発生することになるが、支持装置１１は滑動部材１１ａがスラブ鉄筋Ｃの上に載っているので、スラブ鉄筋Ｃの上を平面的に全方向への滑動が可能となり、従って、支持装置１１に生じた移動はスラブ鉄筋Ｃに対して確実に逃がすことができ、支持装置１１が滑動部材１１ａによってスラブ鉄筋Ｃ上を滑動することにより、スラブ鉄筋Ｃに損傷を与えることなくコンクリートの圧送が行えることになる。【００４１】  また、回転支持部材１５でコンクリート輸送管Ａを支持するので、コンクリート輸送管Ａは水平状態で移動し、上下の移動が生じないので、コンクリート輸送管Ａを安定よく支持することができる。
【図面の簡単な説明】
【００４２】
【図１】（ａ）はこの発明に係る支持装置の第１の実施の形態を示す使用状態の斜視図、（ｂ）は同上の縦断正面図
【図２】（ａ）はこの発明に係る支持装置の第２の実施の形態を示す使用状態の斜視図、（ｂ）は同上の縦断正面図
【図３】（ａ）はこの発明に係る支持装置の第３の実施の形態を示す使用状態の斜視図、（ｂ）は同上の縦断正面図
【図４】（ａ）は従来の支持架台を示す使用状態の側面図、（ｂ）は同上の縦断正面図
【符号の説明】
【００４３】  １１      支持装置
１１ａ    滑動部材
１２      皿船
１２ａ    底板
１２ｂ    周壁
１２ｃ    排水孔
１３      支持体
１３ａ    支持部材
１４      軸
１５      回転支持部材
１６      提げ手
１７      ソリ
１８      横棧
１９      環状体
２０      横棧
Ａ        コンクリート輸送管
Ｂ        スラブ型枠
Ｃ        スラブ鉄筋
【図１】
2009144496.tif 000003
【図２】
2009144496.tif 000004
【図３】
2009144496.tif 000005
【図４】
2009144496.tif 000006